(57)【要約】【課題】建物侵入損失の正確な測定により無線リソースを適切に決定すること。【解決手段】  発信源から発信された電波の第１受信レベルを測定する第１測定手段と、無線信号を送信する送信手段と、を備え、アンテナが屋内に配置された第１無線局と、前記発信源から発信された電波の第２受信レベルを測定する第２測定手段を備え、アンテナが屋外に配置された第２無線局と、を備え、前記第１受信レベル及び前記第２受信レベルに基づいて、前記送信手段が無線信号の送信のために使用する無線パラメータを決定することを特徴とする。【選択図】  図１
2014017535.tif 000002
【特許請求の範囲】
【請求項１】
発信源から発信された電波の第１受信レベルを測定する第１測定手段と、無線信号を送信する送信手段と、を備え、アンテナが屋内に配置された第１無線局と、
前記発信源から発信された電波の第２受信レベルを測定する第２測定手段を備え、アンテナが屋外に配置された第２無線局と、
を備え、
前記第１受信レベル及び前記第２受信レベルに基づいて、前記送信手段が無線信号の送信のために使用する無線パラメータを決定することを特徴とする無線通信システム。
【請求項２】
前記発信源はＧＰＳ衛星であって、前記発信源から発信された電波は前記ＧＰＳ衛星からのＧＰＳ電波であることを特徴とする請求項１に記載の無線通信システム。
【請求項３】
前記第１無線局は第１基地局であるか又は第１基地局と通信を行なう第１移動局であり、前記第２無線局は第２基地局であるか又は第２基地局と通信を行なう第２移動局であることを特徴とする請求項１または２に記載の無線通信システム。
【請求項４】
前記第１基地局はフェムトセルを制御するフェムト基地局であり、前記第２基地局はマクロセルを制御するマクロ基地局であることを特徴とする請求項３に記載の無線通信システム。
【請求項５】
前記発信源は前記第２基地局であって、前記発信源から発信された電波は前記第２基地局からのレファレンス信号であることを特徴とする請求項３又は４に記載の無線通信システム。
【請求項６】
前記第２移動局は、前記第１基地局との距離が所定値以下になったことを条件として、前記第２測定手段により前記電波の第２受信レベルを測定することを特徴とする請求項３乃至５のいずれか１項に記載の無線通信システム。
【請求項７】
前記第１受信レベルと前記第２受信レベルとの差に基づいて、前記第１無線局を取り囲む建物による送信電力の損失を決定することを特徴とする請求項１乃至６のいずれか１項に記載の無線通信システム。
【請求項８】
前記第１受信レベルと前記第２受信レベルとの差に基づいて、前記第１無線局を取り囲む建物による送信電力の損失を求め、該損失に基づいて前記第１無線局の送信電力を決定することを特徴とする請求項１乃至７のいずれか１項に記載の無線通信システム。
【請求項９】
前記第１無線局が測定した前記第１受信レベル及び前記第２無線局が測定した前記第２受信レベルを収集し、収集された前記第１受信レベル及び前記第２受信レベルを前記第１無線局に報告する通信管理手段をさらに有することを特徴とする請求項１乃至８の何れか１項に記載の無線通信システム。
【請求項１０】
前記通信管理手段が、前記第１受信レベル及び前記第２受信レベルに基づいて、前記送信手段が無線信号の送信のために使用する無線パラメータを決定することを特徴とする請求項９に記載の無線通信システム。
【請求項１１】
屋内にアンテナを備える第１無線局と、
屋外にアンテナを備える第２無線局と
を含む無線通信システムにおける無線リソース決定方法であって、
前記第１無線局において、発信源から発信された電波の第１受信レベルを測定する第１測定ステップと、
前記第２無線局において、前記発信源から発信された電波の第２受信レベルを測定する第２測定ステップと、
前記第１受信レベル及び前記第２受信レベルに基づいて、前記第１無線局の送信手段が無線信号の送信のために使用する無線パラメータを決定する決定ステップと、
を含むことを特徴とする無線リソース決定方法。
【請求項１２】
屋内にアンテナを備える無線基地局であって、
発信源から発信された電波の第１受信レベルを測定する測定手段と、
屋外にアンテナを備える無線局が測定した前記発信源から発信された電波の第２受信レベルを受信する受信手段と、
前記第１受信レベル及び前記第２受信レベルに基づいて、前記無線基地局が無線信号の送信のために使用する無線パラメータを決定する決定手段と、
を備えることを特徴とする無線基地局。
【請求項１３】
屋内にアンテナを備える無線基地局であって、
前記無線基地局と通信を行なう無線移動局が測定した、発信源から発信された電波の第１受信レベルを受信する第１受信手段と、
屋外にアンテナを備える無線局が測定した前記発信源から発信された電波の第２受信レベルを受信する第２受信手段と、
前記第１受信レベル及び前記第２受信レベルに基づいて、前記無線基地局が無線信号の送信のために使用する無線パラメータを決定する決定手段と、
を備えることを特徴とする無線基地局。
【請求項１４】
フェムトセルを制御するフェムト基地局であることを特徴とする請求項１２又は１３に記載の無線基地局。
【請求項１５】
屋内にアンテナを備える無線基地局の制御方法であって、
発信源から発信された電波の第１受信レベルを測定する測定ステップと、
屋外にアンテナを備える無線局が測定した前記発信源から発信された電波の第２受信レベルを受信する受信ステップと、
前記第１受信レベル及び前記第２受信レベルに基づいて、前記無線基地局が無線信号の送信のために使用する無線パラメータを決定する決定ステップと、
を含むことを特徴とする無線基地局の制御方法。
【請求項１６】
屋内にアンテナを備える無線基地局の制御方法であって、
前記無線基地局と通信を行なう無線移動局が測定した、発信源から発信された電波の第１受信レベルを受信する第１受信ステップと、
屋外にアンテナを備える無線局が測定した前記発信源から発信された電波の第２受信レベルを受信する第２受信ステップと、
前記第１受信レベル及び前記第２受信レベルに基づいて、前記無線基地局が無線信号の送信のために使用する無線パラメータを決定する決定ステップと、
を備えることを特徴とする無線基地局の制御方法。
【請求項１７】
屋内にアンテナを備える無線基地局の制御プログラムであって、
発信源から発信された電波の第１受信レベルを測定する測定ステップと、
屋外にアンテナを備える無線局が測定した前記発信源から発信された電波の第２受信レベルを受信する受信ステップと、
前記第１受信レベル及び前記第２受信レベルに基づいて、前記無線基地局が無線信号の送信のために使用する無線パラメータを決定する決定ステップと、
をコンピュータに実行させるための制御プログラム。
【請求項１８】
屋内にアンテナを備える無線基地局の制御プログラムであって、
屋内に位置する無線移動局が測定した、発信源から発信された電波の第１受信レベルを受信する第１受信ステップと、
屋外にアンテナを備える無線局が測定した前記発信源から発信された電波の第２受信レベルを受信する第２受信ステップと、
前記第１受信レベル及び前記第２受信レベルに基づいて、前記無線基地局が無線信号の送信のために使用する無線パラメータを決定する決定ステップと、
をコンピュータに実行させるための制御プログラム。
【請求項１９】
屋内にアンテナを備える第１無線局及び屋外にアンテナを備える第２無線局を含む無線通信システム内の通信を管理する通信管理装置であって、
前記第１無線局が測定した、発信源から発信された電波の第１受信レベルを取得する第１取得手段と、
前記第２無線局が測定した、前記発信源から発信された電波の第２受信レベルを取得する第２取得手段と、
前記第１受信レベル及び前記第２受信レベルに基づいて、前記第１無線局が無線信号の送信のために使用する無線パラメータを決定する決定手段と、
を備えたことを特徴とする通信管理装置。
【請求項２０】
屋内にアンテナを備える第１無線局及び屋外にアンテナを備える第２無線局を含む無線通信システム内の通信を管理する通信管理装置の制御方法であって、
前記第１無線局が測定した、発信源から発信された電波の第１受信レベルを取得する第１取得ステップと、
前記第２無線局が測定した、前記発信源から発信された電波の第２受信レベルを取得する第２取得ステップと、
前記第１受信レベル及び前記第２受信レベルに基づいて、前記第１無線局が無線信号の送信のために使用する無線パラメータを決定する決定ステップと、
を含むことを特徴とする通信管理装置の制御方法。
【請求項２１】
屋内にアンテナを備える第１無線局、及び屋外にアンテナを備える第２無線局を含む無線通信システム内の通信を管理する通信管理装置の制御プログラムであって、
前記第１無線局が測定した、発信源から発信された電波の第１受信レベルを取得する第１取得ステップと、
前記第２無線局が測定した、前記発信源から発信された電波の第２受信レベルを取得する第２取得ステップと、
前記第１受信レベル及び前記第２受信レベルに基づいて、前記第１無線局が無線信号の送信のために使用する無線パラメータを決定する決定ステップと、
をコンピュータに実行させることを特徴とする通信管理装置の制御プログラム。
【発明の詳細な説明】
【技術分野】
【０００１】
本発明は、建物の壁などによる無線信号の侵入損失を考慮した無線リソースの設定技術に関する。
【背景技術】
【０００２】
マクロ基地局が制御するマクロセル内に複数のフェムトセルがある無線通信システムにおいて、フェムト基地局の下り送信電力はマクロセルのマクロ移動局に影響を与える。したがって、フェムト基地局の下り送信電力によるマクロ移動局の通信への干渉を防ぐ工夫がされている。たとえば、特許文献１では、各フェムト基地局がマクロ基地局から発信されるレファレンス信号の受信レベルを考慮して、当該フェムト基地局の下り送信電力を制御する処理が開示されている。
【０００３】
また、フェムトセルが建物内でフェムト基地局が屋内にある場合、フェムト基地局の下り送信電力は建物の壁などによる建物侵入損失の分だけ増加したとしても、マクロ移動局に対する干渉は防ぐことができる。このため、特許文献２では、ＧＰＳ(Global Positioning System)電波をフェムト基地局で受信し、推定した屋外でのＧＰＳ電波の受信レベルとの差を建物侵入損失であるとする。そして、この建物侵入損失を、特許文献１における当該フェムト基地局の下り送信電力にさらに加える技術が開示されている。
【先行技術文献】
【特許文献】
【０００４】
【特許文献１】イギリス国公開第２４２８９３７号公報
【特許文献２】国際公開第２００９／０５４２０５号公報
【発明の概要】
【発明が解決しようとする課題】
【０００５】
しかしながら、特許文献２において、屋外でのＧＰＳ電波の受信レベルは推定した標準レベルを使用しているため、実際の建物侵入損失とは異なる場合がある。たとえば、推定した屋外でのＧＰＳ電波の受信レベルが実際のレベルよりも小さい場合は建物侵入損失が実際よりも小さくなる。そのため、当該フェムト基地局の下り送信電力がさらに上げられるにも拘わらず低いレベルに抑えられてフェムトセル内での通信品質を劣化させる。一方、推定した屋外でのＧＰＳ電波の受信レベルが実際のレベルよりも大きい場合は建物侵入損失が実際よりも大きくなる。そのため、当該フェムト基地局の下り送信電力が高くなりすぎるのでマクロ移動局への干渉を増大させる。特に、後者の場合は問題となる。
【０００６】
本発明の目的は、上述の課題を解決する技術を提供することにある。
【課題を解決するための手段】
【０００７】
上記目的を達成するため、本発明に係るシステムは、
発信源から発信された電波の第１受信レベルを測定する第１測定手段と、無線信号を送信する送信手段と、を備え、アンテナが屋内に配置された第１無線局と、
前記発信源から発信された電波の第２受信レベルを測定する第２測定手段を備え、アンテナが屋外に配置された第２無線局と、
を備え、
前記第１受信レベル及び前記第２受信レベルに基づいて、前記送信手段が無線信号の送信のために使用する無線パラメータを決定することを特徴とする。
【０００８】
上記目的を達成するため、本発明に係る方法は、
屋内にアンテナを備える第１無線局と、
屋外にアンテナを備える第２無線局と
を含む無線通信システムにおける無線リソース決定方法であって、
前記第１無線局において、発信源から発信された電波の第１受信レベルを測定する第１測定ステップと、
前記第２無線局において、前記発信源から発信された電波の第２受信レベルを測定する第２測定ステップと、
前記第１受信レベル及び前記第２受信レベルに基づいて、前記第１無線局の送信手段が無線信号の送信のために使用する無線パラメータを決定する決定ステップと、
を含むことを特徴とする。
【０００９】
上記目的を達成するため、本発明に係る装置は、
屋内にアンテナを備える無線基地局であって、
発信源から発信された電波の第１受信レベルを測定する測定手段と、
屋外にアンテナを備える無線局が測定した前記発信源から発信された電波の第２受信レベルを受信する受信手段と、
前記第１受信レベル及び前記第２受信レベルに基づいて、前記無線基地局が無線信号の送信のために使用する無線パラメータを決定する決定手段と、
を備えることを特徴とする。
【００１０】
上記目的を達成するため、本発明に係る装置は、
屋内にアンテナを備える無線基地局であって、
前記無線基地局と通信を行なう無線移動局が測定した、発信源から発信された電波の第１受信レベルを受信する第１受信手段と、
屋外にアンテナを備える無線局が測定した前記発信源から発信された電波の第２受信レベルを受信する第２受信手段と、
前記第１受信レベル及び前記第２受信レベルに基づいて、前記無線基地局が無線信号の送信のために使用する無線パラメータを決定する決定手段と、
を備えることを特徴とする。
【００１１】
上記目的を達成するため、本発明に係る装置の制御方法は、
屋内にアンテナを備える無線基地局の制御方法であって、
発信源から発信された電波の第１受信レベルを測定する測定ステップと、
屋外にアンテナを備える無線局が測定した前記発信源から発信された電波の第２受信レベルを受信する受信ステップと、
前記第１受信レベル及び前記第２受信レベルに基づいて、前記無線基地局が無線信号の送信のために使用する無線パラメータを決定する決定ステップと、
を含むことを特徴とする。
【００１２】
上記目的を達成するため、本発明に係る装置の制御方法は、
屋内にアンテナを備える無線基地局の制御方法であって、
前記無線基地局と通信を行なう無線移動局が測定した、発信源から発信された電波の第１受信レベルを受信する第１受信ステップと、
屋外にアンテナを備える無線局が測定した前記発信源から発信された電波の第２受信レベルを受信する第２受信ステップと、
前記第１受信レベル及び前記第２受信レベルに基づいて、前記無線基地局が無線信号の送信のために使用する無線パラメータを決定する決定ステップと、
を備えることを特徴とする。
【００１３】
上記目的を達成するため、本発明に係るプログラムは、
屋内にアンテナを備える無線基地局の制御プログラムであって、
発信源から発信された電波の第１受信レベルを測定する測定ステップと、
屋外にアンテナを備える無線局が測定した前記発信源から発信された電波の第２受信レベルを受信する受信ステップと、
前記第１受信レベル及び前記第２受信レベルに基づいて、前記無線基地局が無線信号の送信のために使用する無線パラメータを決定する決定ステップと、
をコンピュータに実行させるための制御プログラム。
【００１４】
上記目的を達成するため、本発明に係るプログラムは、
屋内にアンテナを備える無線基地局の制御プログラムであって、
屋内に位置する無線移動局が測定した、発信源から発信された電波の第１受信レベルを受信する第１受信ステップと、
屋外にアンテナを備える無線局が測定した前記発信源から発信された電波の第２受信レベルを受信する第２受信ステップと、
前記第１受信レベル及び前記第２受信レベルに基づいて、前記無線基地局が無線信号の送信のために使用する無線パラメータを決定する決定ステップと、
をコンピュータに実行させるための制御プログラム。
【００１５】
上記目的を達成するため、本発明に係る装置は、
屋内にアンテナを備える第１無線局及び屋外にアンテナを備える第２無線局を含む無線通信システム内の通信を管理する通信管理装置であって、
前記第１無線局が測定した、発信源から発信された電波の第１受信レベルを取得する第１取得手段と、
前記第２無線局が測定した、前記発信源から発信された電波の第２受信レベルを取得する第２取得手段と、
前記第１受信レベル及び前記第２受信レベルに基づいて、前記第１無線局が無線信号の送信のために使用する無線パラメータを決定する決定手段と、
を備えたことを特徴とする。
【００１６】
上記目的を達成するため、本発明に係る装置の制御方法は、
屋内にアンテナを備える第１無線局及び屋外にアンテナを備える第２無線局を含む無線通信システム内の通信を管理する通信管理装置の制御方法であって、
前記第１無線局が測定した、発信源から発信された電波の第１受信レベルを取得する第１取得ステップと、
前記第２無線局が測定した、前記発信源から発信された電波の第２受信レベルを取得する第２取得ステップと、
前記第１受信レベル及び前記第２受信レベルに基づいて、前記第１無線局が無線信号の送信のために使用する無線パラメータを決定する決定ステップと、
を含むことを特徴とする。
【００１７】
上記目的を達成するため、本発明に係るプログラムは、
屋内にアンテナを備える第１無線局、及び屋外にアンテナを備える第２無線局を含む無線通信システム内の通信を管理する通信管理装置の制御プログラムであって、
前記第１無線局が測定した、発信源から発信された電波の第１受信レベルを取得する第１取得ステップと、
前記第２無線局が測定した、前記発信源から発信された電波の第２受信レベルを取得する第２取得ステップと、
前記第１受信レベル及び前記第２受信レベルに基づいて、前記第１無線局が無線信号の送信のために使用する無線パラメータを決定する決定ステップと、
をコンピュータに実行させることを特徴とする。
【発明の効果】
【００１８】
本発明によれば、建物侵入損失の正確な測定により無線リソースを適切に決定することができる。
【図面の簡単な説明】
【００１９】
【図１】本発明の第１実施形態としての無線通信システムの構成を示すブロック図である。
【図２】本発明の第２実施形態としての無線通信システムの構成を示す図である。
【図３】本発明の第２実施形態に係るフェムト基地局及びマクロ基地局の構成を示すブロック図である。
【図４Ａ】本発明の第２実施形態に係るマクロ基地局の動作手順を示すフローチャートである。
【図４Ｂ】本発明の第２実施形態に係るフェムト基地局の動作手順を示すフローチャートである。
【図５】本発明の第３実施形態としての無線通信システムの構成を示す図である。
【図６】本発明の第３実施形態に係るフェムト基地局とマクロ基地局とマクロ移動局の構成を示すブロック図である。
【図７Ａ】本発明の第３実施形態に係るマクロ移動局の動作手順を示すフローチャートである。
【図７Ｂ】本発明の第３実施形態に係るマクロ基地局の動作手順を示すフローチャートである。
【図８】本発明の第４実施形態としての無線通信システムの構成を示す図である。
【図９】本発明の第４実施形態に係るフェムト基地局、マクロ基地局、及びマクロ移動局の構成を示すブロック図である。
【図１０Ａ】本発明の第４実施形態に係るマクロ移動局の動作手順を示すフローチャートである。
【図１０Ｂ】本発明の第４実施形態に係るマクロ基地局の動作手順を示すフローチャートである。
【図１０Ｃ】本発明の第４実施形態に係るフェムト基地局の動作手順を示すフローチャートである。
【図１１】本発明の第５実施形態としての無線通信システムの構成を示す図である。
【図１２】図１１のフェムト基地局とフェムト移動局とマクロ移動局と管理サーバの構成を示すブロック図である。
【図１３Ａ】本発明の第５実施形態に係るマクロ移動局の動作手順を示すフローチャートである。
【図１３Ｂ】本発明の第５実施形態に係る管理サーバの動作手順を示すフローチャートである。
【図１３Ｃ】本発明の第５実施形態に係るフェムト移動局の動作手順を示すフローチャートである。
【図１３Ｄ】本発明の第５実施形態に係るフェムト基地局の動作手順を示すフローチャートである。
【発明を実施するための形態】
【００２０】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００２１】
［第１実施形態］
本発明の第１実施形態としての無線通信システムについて、図１を用いて説明する。図１の無線通信システム１００は、屋内に位置する第１無線局１１０と、屋外に位置する第２無線局１２０と決定部１４０とを含む。第１無線局１１０は、第１測定部１１１と送信部１１２を含む。第２無線局１２０は、第２測定部１２１を含む。
【００２２】
第１測定部１１１は、発信源１３０から発信される信号１３１の第１受信レベル１１３を測定して決定部１４０に送る。第２測定部１２１は、発信源１３０から発信される信号１３１の第２受信レベル１２２を測定して決定部１４０に送る。決定部１４０は、第１受信レベル１１３及び第２受信レベル１２２に基づいて、第１無線局１１０の送信部１１２が使用する無線パラメータ１４１を決定する。
【００２３】
かかる構成により、建物侵入損失の正確な測定により適正な無線リソース設定が可能となる。
【００２４】
［第２実施形態］
本発明の第２実施形態に係る無線通信システムについて以下に説明する。本実施形態では、ＧＰＳ衛星を信号の発信源とし、そのＧＰＳ衛星からの信号を、フェムト基地局とマクロ基地局とで受信して、それらの受信レベルを比較することにより、建物侵入損失の測定を行なう。
【００２５】
〈第２実施形態の無線通信システムの構成〉
図２は、第２実施形態の無線通信システム２００の構成を示す図である。
【００２６】
図２の無線通信システム２００において、アンテナが屋外に設置されている無線基地局であるマクロ基地局２２０は、マクロセル２５０内の無線移動局であるマクロ移動局２３０との接続を無線信号２２０ａにより制御する。また、マクロ基地局２２０は、ＧＰＳ衛星２７０からのＧＰＳ電波２７０ａを受信して受信レベルを測定する。一方、アンテナが屋内に設置されている無線基地局であるフェムト基地局２１０は、フェムトセル２６０内の無線移動局であるフェムト移動局２４０との接続を無線信号２１０ａにより制御する。また、フェムト基地局２１０は、ＧＰＳ衛星２７０からのＧＰＳ電波２７０ａを建物２８０の壁や屋根などを介して受信して受信レベルを測定する。マクロ基地局２２０は、測定したＧＰＳ電波２７０ａの受信レベルを送信データ２２０ｂとしてフェムト基地局２１０に送る。フェムト基地局２１０では、マクロ基地局２２０のＧＰＳ電波２７０ａの受信レベルからフェムト基地局２１０のＧＰＳ電波２７０ａの受信レベルを差し引くことにより、その差を建物侵入損失とする。
【００２７】
フェムト基地局２１０は、かかる測定された正確な建物侵入損失を使用してフェムト基地局２１０の下り送信電力（フェムト移動局２４０への）を建物侵入損失分だけ高く設定する。かかる下り送信電力の設定により、フェムト基地局２１０の送信電力によるマクロ移動局２３０への干渉２１０ｂを防ぎながら、無線信号２１０ａの送信電力を高くしてフェムトセル２６０内での通信品質を十分に維持することが可能になる。
【００２８】
〈第２実施形態のフェムト基地局２１０とマクロ基地局２２０の構成〉
図３は、図２のフェムト基地局２１０とマクロ基地局２２０の構成を示すブロック図である。
【００２９】
図３において、フェムト基地局２１０はＧＰＳ電波受信部３１１において、マクロ基地局２２０はＧＰＳ電波受信部３２１において、ＧＰＳ衛星２７０からのＧＰＳ電波２７０ａを受信する。フェムト基地局２１０の測定実施部３１２はフェムト基地局２１０が屋内で受信したＧＰＳ電波２７０ａの受信レベルを測定する。マクロ基地局２２０の測定実施部３２２はマクロ基地局２２０が屋外で受信したＧＰＳ電波２７０ａの受信レベルを測定する。マクロ基地局２２０の測定結果通知部３２３は、送信データ２２０ｂとして、測定実施部３２２による測定結果としてのＧＰＳ電波２７０ａの受信レベルをフェムト基地局２１０に送信する。フェムト基地局２１０は、測定結果取得部３１３でマクロ基地局２２０から送信されたＧＰＳ電波２７０ａの受信レベルを含む送信データ２２０ｂを受信する。
【００３０】
フェムト基地局２１０の侵入損失算出部３１４では、マクロ基地局２２０から送信された屋外で測定されたＧＰＳ電波２７０ａの受信レベルからフェムト基地局２１０自身が屋内で測定したＧＰＳ電波２７０ａの受信レベルを差し引く。そして、この差分を実際の正確な建物侵入損失として算出する。正確な建物侵入損失は無線パラメータ更新部３１５に送られる。無線パラメータ更新部３１５は、無線パラメータ、本例では特にフェムト基地局２１０の下り送信電力を正確な建物侵入損失を使って更新する。送信部３１６はかかる下り送信電力の無線信号２１０ａでフェムト移動局２４０と通信する。フェムト基地局２１０は更新された無線パラメータに基づく無線信号２１０ａでフェムト移動局２４０との通信を行なうので、マクロ移動局２３０への干渉を防ぎながら、フェムトセル２６０内での通信品質を十分に維持できる。
【００３１】
〈第２実施形態のフェムト基地局２１０とマクロ基地局２２０の動作〉
図４は、図２のフェムト基地局２１０とマクロ基地局２２０の動作手順を示すフローチャートである。
【００３２】
マクロ基地局２２０は、ステップＳ４２１において、屋外でのＧＰＳ電波２７０ａの受信レベルを測定する。そして、ステップＳ４２２においてフェムト基地局２１０に送信データ２２０ｂとして送信する。フェムト基地局２１０は、ステップＳ４１１において、屋内でのＧＰＳ電波２７０ａの受信レベルを測定する。ステップＳ４１２において、マクロ基地局２２０から屋外でのＧＰＳ電波２７０ａの受信レベルを取得し、ステップＳ４１３において、屋内外のＧＰＳ電波２７０ａの受信レベルの差である建物侵入損失に基づいてフェムト基地局２１０の下り送信電力を設定する。
【００３３】
［第３実施形態］
本発明の第３実施形態に係る無線通信システムについて以下に説明する。上述の第２実施形態では、ＧＰＳ衛星からの信号を、フェムト基地局とマクロ基地局とで受信して、それらの受信レベルを比較した。これに対し、本実施形態では、発信源としてのＧＰＳ衛星からの信号を、フェムト基地局とマクロ移動局とで受信して、それらの受信レベルを比較することにより、建物侵入損失の測定を行なう。
これにより、マクロ基地局がＧＰＳ電波を受信できない場所に設置されていても、建物侵入損失の測定を行なうことができるという効果がある。更に、対象とするフェムトセルの近くで、屋外のＧＰＳ電波を受信できるため、フェムト基地局周りの建物侵入損失をより適正に算出することができる。
【００３４】
〈第３実施形態の無線通信システムの構成〉
図５は、第３実施形態の無線通信システム５００の構成を示す図である。
【００３５】
図５の無線通信システムにおいて、マクロ基地局２２０は、マクロセル２５０内のマクロ移動局２３０との接続を無線信号２２０ａにより制御する。そして、マクロ基地局２２０は、屋外にある特にフェムトセル２６０の近傍にあるマクロ移動局２３０に対して、ＧＰＳ電波２７０ａの受信レベルを測定してマクロ基地局２２０に送るよう要求信号２２０ｃを送る。要求信号２２０ｃを受けたマクロ移動局２３０は、ＧＰＳ衛星２７０からのＧＰＳ電波２７０ａを受信して受信レベルを測定し、送信データ２３０ａとしてＧＰＳ電波２７０ａの屋外での受信レベルをマクロ基地局２２０に返信する。
【００３６】
一方、屋内にあるフェムト基地局２１０は、フェムトセル２６０内のフェムト移動局２４０との接続を無線信号２１０ａにより制御すると共に、ＧＰＳ衛星２７０からのＧＰＳ電波２７０ａを建物２８０の壁や屋根などを介して受信して受信レベルを測定する。マクロ基地局２２０は、マクロ移動局２３０から受信したＧＰＳ電波２７０ａの受信レベルを送信データ２２０ｂとしてフェムト基地局２１０に送る。フェムト基地局２１０では、マクロ移動局２３０によるＧＰＳ電波２７０ａの受信レベルからフェムト基地局２１０のＧＰＳ電波２７０ａの受信レベルを差し引くことにより、その差を建物侵入損失とする。
【００３７】
フェムト基地局２１０は、かかる測定された正確な建物侵入損失を使用してフェムト基地局２１０の下り送信電力（フェムト移動局２４０への）を建物侵入損失分だけ高く設定する。このようにして、フェムト基地局２１０の送信電力によるマクロ移動局２３０への干渉２１０ｂを防ぎながら、フェムトセル２６０内での通信品質を保証している。本実施形態では、特にフェムトセル２６０の近傍にあるマクロ移動局２３０によるＧＰＳ電波２７０ａの受信レベルの測定を行なう。これにより、通常固定されているマクロ基地局２２０がＧＰＳ電波２７０ａの受信機能を有しない場合であっても、より実際のより正確な建物侵入損失の測定が可能になる。
【００３８】
〈第３実施形態のフェムト基地局２１０とマクロ基地局２２０とマクロ移動局２３０の構成〉
図６は、図５のフェムト基地局２１０とマクロ基地局２２０とマクロ移動局２３０の構成を示すブロック図である。
【００３９】
図６において、屋外のマクロ移動局２３０は、ＧＰＳ電波受信部６３１でＧＰＳ衛星２７０からのＧＰＳ電波２７０ａを受信する。そして、マクロ移動局２３０は、測定実施部６３２を用いて、屋外で受信したＧＰＳ電波２７０ａの受信レベルを測定する。マクロ基地局２２０の測定結果要求部６２１は、測定結果の報告を要求するための要求信号２２０ｃを、マクロ移動局２３０に送信する。マクロ移動局２３０は、要求信号２２０ｃに応答して、測定報告部６３３から送信データ２３０ａとしてＧＰＳ電波２７０ａの受信レベルを返信する。マクロ基地局２２０の測定結果通知部６２２は、ＧＰＳ電波２７０ａの受信レベルを受信すると、その受信レベルを送信データ２２０ｂとしてフェムト基地局２１０に送信する。
【００４０】
一方、屋内のフェムト基地局２１０は、第２実施形態と同様に、ＧＰＳ電波受信部６１１でＧＰＳ衛星２７０からのＧＰＳ電波２７０ａを受信する。フェムト基地局２１０の測定実施部６１２は、フェムト基地局２１０が屋内で受信したＧＰＳ電波２７０ａの受信レベルを測定する。フェムト基地局２１０は、測定結果取得部６１３でマクロ基地局２２０から送信されたＧＰＳ電波２７０ａの受信レベルを含む送信データ２２０ｂを受信する。
【００４１】
以降のフェムト基地局２１０の無線パラメータの更新の構成は上記第２実施形態と同様である。侵入損失算出部６１４は、マクロ基地局２２０から送信されたＧＰＳ電波２７０ａの受信レベルを含む送信データ２２０ｂに基づいて、建物侵入損失を算出する。そして無線パラメータ更新部６１５は、無線パラメータ（本例では特にフェムト基地局２１０の下り送信電力）を正確な建物侵入損失を使って更新する。送信部６１６はかかる下り送信電力の無線信号２１０ａでフェムト移動局２４０と通信する。フェムト基地局２１０は更新された無線パラメータに基づく無線信号２１０ａでフェムト移動局２４０との通信を行なうので、マクロ移動局２３０への干渉を防ぎながら、フェムトセル２６０内での通信品質を十分に維持することができる。
【００４２】
〈第３実施形態のフェムト基地局２１０とマクロ基地局２２０とマクロ移動局２３０の動作〉
図７は、図５のフェムト基地局２１０とマクロ基地局２２０とマクロ移動局２３０の動作手順を示すフローチャートである。
【００４３】
マクロ移動局２３０は、ステップＳ７３１において、屋外でのＧＰＳ電波の受信レベルを測定する。マクロ基地局２２０が、ステップＳ７２１において、マクロ移動局２３０にＧＰＳ電波２７０ａの受信レベルの報告を、要求信号２２０ｃを送って要求し、ステップＳ７２２で報告を待つ。マクロ移動局２３０はステップＳ７３２において、要求信号２２０ｃを受けると、ステップＳ７３３に進んでマクロ基地局２２０に測定結果のＧＰＳ電波２７０ａの受信レベルを送信データ２３０ａとして報告する。報告を受けたマクロ基地局２２０は、ステップＳ７２２からＳ７２３に進んで受信したＧＰＳ電波２７０ａの受信レベルをさらにフェムト基地局２１０に送信データ２２０ｂとして通知する。
【００４４】
フェムト基地局２１０は、ステップＳ４１１において、屋内でのＧＰＳ電波２７０ａの受信レベルを測定する。ステップＳ４１２において、マクロ基地局２２０からマクロ移動局２３０が屋外で測定したＧＰＳ電波２７０ａの受信レベルを取得する。そして、ステップＳ４１３において、屋内外のＧＰＳ電波２７０ａの受信レベルの差である建物侵入損失に基づいてフェムト基地局２１０の下り送信電力を設定する。
【００４５】
［第４実施形態］
本発明の第４実施形態に係る無線通信システムについて以下に説明する。上述の第２及び第３実施形態では、ＧＰＳ衛星からの信号を用いて、それらの受信レベルを比較した。これに対し、本実施形態では、マクロ基地局を信号の発信源とし、そのマクロ基地局からのレファレンス信号を、フェムト基地局とマクロ移動局とで受信して、それらの受信レベルを比較することにより、建物侵入損失の測定を行なう。
これにより、マクロ基地局及びマクロ移動局が共にＧＰＳ電波を受信できない場合でも、建物侵入損失の測定を行なうことができるという効果がある。更に、フェムト基地局がＧＰＳ電波の受信機能を備えない場合にも対応できるという効果がある。
【００４６】
〈第４実施形態の無線通信システムの構成〉
図８は、第４実施形態の無線通信システムの構成を示す図である。
【００４７】
図８の無線通信システムにおいて、マクロ基地局２２０は、マクロセル２５０内のマクロ移動局２３０に対してレファレンス信号２２０ｄを発信している。そして、マクロ基地局２２０は、屋外にある特にフェムトセル２６０の近傍にあるマクロ移動局２３０に対して、レファレンス信号２２０ｄの受信レベルを測定してマクロ基地局２２０に送るよう要求信号２２０ｃを送る。要求信号２２０ｃを受けたマクロ移動局２３０は、マクロ基地局２２０から受信したレファレンス信号２２０ｄの受信レベルを測定し、送信データ２３０ａでレファレンス信号２２０ｄの屋外での受信レベルをマクロ基地局２２０に返送する。
【００４８】
一方、屋内にあるフェムト基地局２１０は、フェムトセル２６０内のフェムト移動局２４０との接続を無線信号２１０ａにより制御する。また、フェムト基地局２１０は、マクロ基地局２２０からのレファレンス信号２２０ｄを建物２８０の壁や屋根などを介して受信して受信レベルを測定する。マクロ基地局２２０は、マクロ移動局２３０から受信したレファレンス信号２２０ｄの受信レベルを送信データ２２０ｂでフェムト基地局２１０に送る。フェムト基地局２１０では、マクロ移動局２３０によるレファレンス信号２２０ｄの受信レベルからフェムト基地局２１０のレファレンス信号２２０ｄの受信レベルを差し引くことにより、その差を建物侵入損失とする。
【００４９】
フェムト基地局２１０は、かかる測定された正確な建物侵入損失を使用してフェムト基地局２１０の下り送信電力（フェムト移動局２４０への）を建物侵入損失分だけ高く設定する。このようにして、フェムト基地局２１０の送信電力によるマクロ移動局２３０への干渉２１０ｂを防ぎながら、フェムトセル２６０内での通信品質を保証している。本実施形態では、ＧＰＳ電波２７０ａの代わりにマクロセル２５０内では共通に放送されているマクロ基地局２２０のレファレンス信号２２０ｄの受信レベルの測定により、実際のより正確な建物侵入損失の測定が可能になる。
【００５０】
〈第４実施形態のフェムト基地局２１０とマクロ基地局２２０とマクロ移動局２３０の構成〉
図９は、図８のフェムト基地局２１０とマクロ基地局２２０とマクロ移動局２３０の構成を示すブロック図である。
【００５１】
図９において、屋外のマクロ移動局２３０は、マクロ基地局電波受信部９３１でマクロ基地局２２０の電波発信部９２１からのレファレンス信号２２０ｄを受信する。そして、マクロ移動局２３０は、測定実施部９３２を用いて、屋外で受信したレファレンス信号２２０ｄの受信レベルを測定する。マクロ基地局２２０は、測定結果要求部９２２からマクロ移動局２３０に対して測定結果の報告を要求する要求信号２２０ｃを送信する。マクロ移動局２３０は、要求信号２２０ｃに応答して、測定報告部９３３から送信データ２３０ａとしてレファレンス信号２２０ｄの受信レベルを返信する。マクロ基地局２２０の測定結果通知部９２３は、レファレンス信号２２０ｄの受信レベルを受信すると、その受信レベルを送信データ２２０ｂとしてフェムト基地局２１０に送信する。
【００５２】
一方、屋内のフェムト基地局２１０は、マクロ基地局電波受信部９１１でマクロ基地局２２０の電波発信部９２１からのレファレンス信号２２０ｄを受信する。フェムト基地局２１０の測定実施部９１２は、フェムト基地局２１０が屋内で受信したレファレンス信号２２０ｄの受信レベルを測定する。フェムト基地局２１０は、測定結果取得部９１３でマクロ基地局２２０から送信したレファレンス信号２２０ｄの受信レベルを含む送信データ２２０ｂを受信する。
【００５３】
フェムト基地局２１０の侵入損失算出部９１４では、マクロ基地局２２０から送信された屋外で測定されたレファレンス信号２２０ｄの受信レベルからフェムト基地局２１０自身が屋内で測定したレファレンス信号２２０ｄの受信レベルを差し引く。そして、この差分を実際の正確な建物侵入損失として算出する。正確な建物侵入損失は無線パラメータ更新部９１５に送られ、無線パラメータ（本例では特にフェムト基地局２１０の下り送信電力）が正確な建物侵入損失を使って更新される。本実施形態においては、無線パラメータがマクロ基地局２２０からのレファレンス信号２２０ｄの測定により計算された正確な建物侵入損失を使って更新される。フェムト基地局２１０の送信部９１６は、更新された無線パラメータに基づく無線信号２１０ａでフェムト移動局２４０との通信を行なうので、マクロ移動局２３０への干渉を防ぎながら、フェムトセル２６０内での通信品質を十分に維持できる。
【００５４】
〈第４実施形態のフェムト基地局２１０とマクロ基地局２２０とマクロ移動局２３０の動作〉
図１０は、図８のフェムト基地局２１０とマクロ基地局２２０とマクロ移動局２３０の動作手順を示すフローチャートである。
【００５５】
マクロ移動局２３０は、ステップＳ１０３１において、所定の測定条件（たとえば、フェムト基地局２１０との距離が所定の閾値以下になった場合など）を判定し、測定条件を満たせばステップＳ１０３２に進む。マクロ移動局２３０とフェムト基地局２１０との距離が所定の閾値以下になったことについては、フェムト基地局から一定レベル以上の干渉を受けたこと、または、フェムト基地局特有の信号を検出したことから判定することができる。さらに、近傍のフェムト基地局から強い干渉を受けてＳＩＮＲ(Signal to Interference and Noise Ratio)が劣化したこと、またはＧＰＳの位置情報からマクロ移動局２３０とフェムト基地局２１０との距離が所定の閾値以下になったことなどから判定しても良い。ステップＳ１０３２において、屋外でのマクロ基地局２２０のレファレンス信号２２０ｄの受信レベルを測定する。マクロ基地局２２０が、ステップＳ１０２１でマクロ移動局２３０にレファレンス信号２２０ｄの受信レベルの報告を、要求信号２２０ｃを送って要求し、ステップＳ１０２２において報告を待つ。マクロ移動局２３０はステップＳ１０３３において、要求信号２２０ｃを受けると、ステップＳ１０３４に進んでマクロ基地局２２０に測定結果のレファレンス信号２２０ｄの受信レベルを送信データ２３０ａとして報告する。報告を受けたマクロ基地局２２０は、ステップＳ１０２３に進んで受信したレファレンス信号２２０ｄの受信レベルをさらにフェムト基地局２１０に送信データ２２０ｂとして通知する。
【００５６】
フェムト基地局２１０は、ステップＳ１０１１において、屋内でのレファレンス信号２２０ｄの受信レベルを測定する。ステップＳ１０１２において、マクロ基地局２２０から屋外でのレファレンス信号２２０ｄの受信レベルを取得する。そして次に、ステップＳ１０１３において、屋内外のレファレンス信号２２０ｄの受信レベルの差である建物侵入損失に基づいてフェムト基地局２１０の下り送信電力を設定する。
【００５７】
［第５実施形態］
本発明の第５実施形態に係る無線通信システムについて以下に説明する。上述の第２乃至第４実施形態では、発信源からの信号の受信レベルをフェムト基地局において比較した。これに対し、本実施形態では、フェムト基地局外部の管理サーバにおいて、屋外と屋内の共通電波の受信レベルを取得し、その差分から建物侵入損失を求めて、フェムト基地局の下り送信電力を決定する。
また、上記第２乃至第４実施形態ではフェムト基地局２１０が屋内での信号の受信レベルを測定したが、第５実施形態では、フェムト基地局２１０ではなくフェムト移動局２４０が屋内での信号の受信レベルを測定する。
これにより、フェムト基地局での処理負荷の軽減を図ることができる。
【００５８】
〈第５実施形態の無線通信システムの構成〉
図１１は、第５実施形態の無線通信システム１１００の構成を示す図である。
【００５９】
図１１の無線通信システム１１００において、マクロ基地局２２０は、マクロセル２５０内のマクロ移動局２３０との接続を無線信号２２０ａにより制御する。また、屋外にあるマクロ移動局２３０は、特にフェムトセル２６０の近傍にある時に、発信源としてのＧＰＳ衛星２７０からのＧＰＳ電波２７０ａの屋外の受信レベルを測定する。そして、管理サーバ１１０１からの測定結果の送信要求１１０１ａに応答して、ＧＰＳ電波２７０ａの屋外の受信レベルを管理サーバ１１０１に送信データ２３０ｂとして送る。一方、屋内にあるフェムト基地局２１０は、フェムトセル２６０内のフェムト移動局２４０との接続を無線信号２１０ａにより制御する。また、屋内にあるフェムト移動局２４０は、建物２８０の壁や屋根などを介したＧＰＳ電波２７０ａを受信して屋内の受信レベルを測定する。そして、管理サーバ１１０１からの測定結果の送信要求１１０１ｂに応答して、ＧＰＳ電波２７０ａの屋内の受信レベルを管理サーバ１１０１に送信データ２４０ａとして送る。
【００６０】
管理サーバ１１０１は、屋外にあるマクロ移動局２３０が測定したＧＰＳ電波２７０ａの屋外の受信レベルと、屋内にあるフェムト移動局２４０が測定したＧＰＳ電波２７０ａの屋内の受信レベルとを収集する。管理サーバ１１０１は、収集した受信レベルから１つのフェムトセル２６０に対応したＧＰＳ電波２７０ａの屋外の受信レベルと屋内の受信レベルとを抽出する。そして、その差分から当該フェムトセル２６０を画定している建物２８０の壁や屋根などによる建物侵入損失を求める。そして、測定値から求めた正確な建物侵入損失を使って当該フェムトセル２６０を制御するフェムト基地局２１０の無線パラメータ、特に下り送信電力を決定して、フェムト基地局２１０に送信データ１１０１ｃとして送信する。各フェムト基地局２１０は、各々の正確な建物侵入損失にしたがって決定された下り送信電力の無線信号２１０ａでフェムト移動局２４０との通信を行なう。
【００６１】
なお、管理サーバ１１０１への測定したＧＰＳ電波２７０ａの受信レベルの報告は、図１１では、管理サーバ１１０１からの送信要求１１０１ａ、１１０１ｂに応答して行なうように図示している。しかしながら、随時、あるいは予め決められたタイミングで報告してもよい。
【００６２】
本実施形態では、受信レベルの受信や各フェムト基地局２１０の、無線パラメータである下り送信電力の算出を各フェムト基地局２１０に担わせるのではなく、管理サーバ１１０１で一括して受信レベルを収集して下り送信電力を算出する。そのため、フェムト基地局２１０の負荷を軽減してフェムト移動局２４０との通信制御に対してリソースの有効活用が可能となる。
【００６３】
なお、本実施形態では、管理サーバ１１０１はフェムト基地局２１０の下り送信電力を算出して無線パラメータとしてフェムト基地局２１０に通知している。しかしながら、各フェムトセル２６０に対する屋内外の受信レベルを収集して、フェムト基地局２１０からの要求に応答して屋内外の受信レベルそのものを無線パラメータとして通知する構成であってもよい。あるいは、建物侵入損失の値を無線パラメータとして通知する構成であってもよい。
【００６４】
〈第５実施形態のフェムト基地局２１０とフェムト移動局２４０とマクロ移動局２３０と管理サーバ１１０１の構成〉
図１２は、図１１のフェムト基地局２１０とフェムト移動局２４０とマクロ移動局２３０と管理サーバ１１０１の構成を示すブロック図である。なお、図１２では、簡略化のために、マクロ移動局２３０からの受信レベルを、マクロ基地局２２０を介して取得する場合の構成や、管理サーバ１１０１が受信レベルを要求してその応答として報告する場合の構成については、省略している。
【００６５】
図１２において、屋外のマクロ移動局２３０は、ＧＰＳ電波受信部１２３１でＧＰＳ電波２７０ａを受信する。そして、マクロ移動局２３０は、測定実施部１２３２において、屋外で受信したＧＰＳ電波２７０ａの受信レベルを測定する。マクロ移動局２３０は、測定報告部１２３３から送信データ２３０ｂとしてＧＰＳ電波２７０ａの屋外の受信レベルを管理サーバ１１０１に送信する。一方、屋内のフェムト移動局２４０のＧＰＳ電波受信部１２４１は、ＧＰＳ電波２７０ａを受信する。そして、フェムト移動局２４０の測定実施部１２４２は、屋内で受信したＧＰＳ電波２７０ａの受信レベルを測定する。フェムト移動局２４０は、測定結果通知部１２４３から送信データ２４０ａとしてＧＰＳ電波２７０ａの屋内の受信レベルを管理サーバ１１０１に送信する。
【００６６】
管理サーバ１１０１の測定結果取得／収集部１２０１は、マクロ移動局２３０から送られた屋外のＧＰＳ電波２７０ａの受信レベルと、フェムト移動局２４０から送られた屋内のＧＰＳ電波２７０ａの受信レベルとを取得して収集する。侵入損失算出部１２０２は、屋外の受信レベルと屋内の受信レベルとの差分を建物侵入損失として算出する。無線パラメータ算出部１２０３は、測定値から得られた正確な建物侵入損失を使って、フェムト基地局２１０の無線パラメータである下り送信電力を算出する。無線パラメータ通知部１２０４は、算出されたフェムト基地局２１０の下り送信電力をフェムト基地局２１０に送信データ１１０１ｃとして通知する。
【００６７】
フェムト基地局２１０は、無線パラメータ取得部１２１１で管理サーバ１１０１から通知された無線パラメータである下り送信電力を取得し、送信部１２１５はかかる下り送信電力の無線信号２１０ａでフェムト移動局２４０と通信する。
【００６８】
〈第５実施形態のフェムト基地局２１０とフェムト移動局２４０とマクロ移動局２３０と管理サーバ１１０１の動作〉
図１３は、図１１のフェムト基地局２１０とフェムト移動局２４０とマクロ移動局２３０と管理サーバ１１０１の動作手順を示すフローチャートである。なお、図１３のフローチャートも、煩雑さを避けるためにマクロ基地局２２０とのやり取りや管理サーバ１１０１の測定結果の要求などの細かい手順は省いている。
【００６９】
マクロ移動局２３０は、ステップＳ１３３１において、所定の測定条件（たとえば、フェムトセル２６０への接近）を判定し、測定条件を満たせばステップＳ１３３２に進む。ステップＳ１３３２において、屋外でのＧＰＳ衛星２７０からのＧＰＳ電波２７０ａの受信レベルを測定する。次に、ステップＳ１３３３に進んで管理サーバ１１０１に測定結果のＧＰＳ電波２７０ａの受信レベルを送信データ２３０ｂとして報告する。一方、フェムト移動局２４０は、ステップＳ１３４１において、所定の測定条件（たとえば、管理サーバ１１０１やフェムト基地局２１０からの要求）を判定し、測定条件を満たせばステップＳ１３４２に進む。ステップＳ１３４２において、屋内でのＧＰＳ電波２７０ａの受信レベルを測定する。次に、ステップＳ１３４３に進んで管理サーバ１１０１に測定結果のＧＰＳ電波２７０ａの受信レベルを送信データ２４０ａとして報告する。
【００７０】
管理サーバ１１０１は、マクロ移動局２３０又はフェムト移動局２４０からＧＰＳ電波２７０ａの受信レベルの受信を受けると、ステップＳ１３８１からＳ１３８２に進んで、ＧＰＳ電波２７０ａの受信レベルを収集する。ＧＰＳ電波２７０ａの受信レベルは、各フェムトセル２６０に対応してフェムト移動局２４０と近傍のマクロ移動局２３０とにしたがって管理される。ステップＳ１３８３において、建物侵入損失を算出したいフェムトセル２６０に対応する屋外／屋内のＧＰＳ電波２７０ａの受信レベルを各々対で抽出する。ステップＳ１３８４では、各対についてその差分から建物侵入損失を求め、測定値から得られた正確な建物侵入損失を使ってフェムト基地局２１０の無線パラメータである下り送信電力を算出する。ステップＳ１３８５において、算出した送信電力はフェムト基地局２１０に送信データ１１０１ｃとして通知される。
【００７１】
フェムト基地局２１０は、ステップＳ１３１１において、無線パラメータ送信電力の受信を待って、受信があればステップＳ１３１２において、フェムト移動局２４０と通信する下り送信電力を設定する。
【００７２】
なお、上記実施形態では、フェムト基地局２１０の送信電力の算出方法については詳細に説明しなかったが、たとえば特許文献２に従えば、以下のようにフェムト基地局２１０の送信電力が算出可能である。屋外の受信レベルと屋内の受信レベルとの差分は建物侵入損失であるが、さらに精度を高めるには、たとえばＧＰＳ電波とフェムト基地局の電波の差の補正、あるいは地理的な違いの補正を行なう。そして、マクロ基地局２２０からのレファレンス信号２２０ｄの受信電力に送信電力のオフセットと建物侵入損失とを加えて送信電力とする（ただし、予め予測あるいは算出された送信電力の最大値と最小値との間である）。
【００７３】
［他の実施形態］
上記第２、第３及び第５実施形態では、屋内及び屋外での受信レベルを測定する共通の電波として、ＧＰＳ衛星から発信されるＧＰＳ電波を使用した。また、第４実施形態では、マクロ基地局から発信されるレファレンス信号を使用した。しかしながら、上記電波に限定することはなく、遍在することなく持続的に放送されている所定周波数帯域内の放送電波、たとえばデジタルテレビ用電波、ＦＭ(Frequency modulation)ラジオ用電波なども使用可能である。その場合、放送局が信号の発信源となる。また、測位衛星としてＧＰＳを使用したが、より一般的なＧＮＳＳ（Global Navigation Satellite Systems）であれば特に限定することはない。例えば、GALILEO、GLONASS(GLObal NAvigation Satellite System)、及び準天頂衛星等の測位衛星も使用可能である。また、上記実施形態１乃至５では、フェムト基地局の下り送信電力を設定する例を説明したが、フェムト移動局の上り送信電力の設定でもよい。また、たとえば指向性のある電波を発信するフェムト基地局においては、無線パラメータが指向性を設定するものであってもよい。さらに、電波に影響を与えているフェムトセルの構造的特徴に基づきフェムト基地局の送信に関わるその他の無線パラメータを制御する構成に対しても、適用が可能である。
【００７４】
また、第２乃至第４実施形態で、マクロ基地局２２０からフェムト基地局２１０への受信レベルの通知は無線経由のデータ通信で行なわれるとして説明したが、専用のあるいはネットワークを介した有線経由で行なわれても良い。また、本実施形態が適用される無線通信方式は特に限定されず、たとえばＬＴＥ(Long Term Evolution)、Ｗ−ＣＤＭＡ(Wideband Code Division Multiple Access)、ＷＬＡＮ(Wireless Local Area Network)、ＩＥＥＥ(Institute of Electrical and Electronics Engineers)802.16mに規定された仕様などを含む種々の無線通信方式が適用可能である。
【００７５】
以上、本発明の実施形態について詳述したが、それぞれの実施形態に含まれる別々の特徴を如何様に組み合わせたシステム又は装置も、本発明の範疇に含まれる。
【００７６】
また、本発明は、複数の機器から構成されるシステムに適用しても良いし、単体の装置に適用しても良い。さらに、本発明は、実施形態の機能を実現する制御プログラムが、システムあるいは装置に直接あるいは遠隔から供給されて実行される場合にも適用可能である。したがって、本発明の機能をコンピュータで実現するために、コンピュータにインストールされる制御プログラム、あるいはその制御プログラムを格納した記憶媒体、その制御プログラムをダウンロードさせるＷＷＷ(World Wide Web)サーバも、本発明の範疇に含まれる。
【図１】
2014017535.tif 000003
【図２】
2014017535.tif 000004
【図３】
2014017535.tif 000005
【図４Ａ】
2014017535.tif 000006
【図４Ｂ】
2014017535.tif 000007
【図５】
2014017535.tif 000008
【図６】
2014017535.tif 000009
【図７Ａ】
2014017535.tif 000010
【図７Ｂ】
2014017535.tif 000011
【図８】
2014017535.tif 000012
【図９】
2014017535.tif 000013
【図１０Ａ】
2014017535.tif 000014
【図１０Ｂ】
2014017535.tif 000015
【図１０Ｃ】
2014017535.tif 000016
【図１１】
2014017535.tif 000017
【図１２】
2014017535.tif 000018
【図１３Ａ】
2014017535.tif 000019
【図１３Ｂ】
2014017535.tif 000020
【図１３Ｃ】
2014017535.tif 000021
【図１３Ｄ】
2014017535.tif 000022